(57)【要約】【課題】ネットの取り付けを容易に行なうことのできる収納棚の保護装置を提供する。【解決手段】線材を格子状に接続して構成した矩形状のネット８が、物品収納棚１の外面部に沿って複数並べる状態で、物品収納棚１に取り付けられ、物品収納棚１の外面部に沿って上下方向に並ぶ複数枚の矩形状のネット８が、接続材９によって折り畳み自在に連結されている。【選択図】図１
2007145581.tif 000002
【特許請求の範囲】
【請求項１】
線材を格子状に接続して構成した矩形状のネットが、物品収納棚の外面部に沿って複数並べる状態で、物品収納棚に取り付けられた収納棚の保護装置であって、
前記物品収納棚の外面部に沿って上下方向に並ぶ複数枚の前記矩形状のネットが、接続材によって折り畳み自在に連結されている収納棚の保護装置。
【請求項２】
前記物品収納棚の外面部に沿って上下方向に並ぶ複数枚の前記矩形状のネットのうち少なくとも上端及び下端に位置する前記ネットが、前記物品収納棚に取り付けられている請求項１に記載の収納棚の保護装置。
【請求項３】
前記物品収納棚の外面部に沿って上下方向に並ぶ複数枚の前記矩形状のネットのうち上端に位置する前記ネットの上下方向の幅が、それ以外の前記ネットの上下方向の幅よりも幅広に形成されている請求項１又は２に記載の収納棚の保護装置。
【請求項４】
請求項１〜３のいずれか１項に記載の収納棚の保護装置の取り付け方法であって、前記物品収納棚の外面部に沿って上下方向に並べる複数枚の前記矩形状のネットを折り畳んだ状態で、それら複数枚の前記矩形状のネットのうち上端に位置する前記ネットを前記物品収納棚に取り付け、次に、それら複数枚の前記矩形状のネットを下方に垂らしたのちに、それら複数枚の前記矩形状のネットのうち下端に位置する前記ネットを前記物品収納棚に取り付ける収納棚の保護装置の取り付け方法。
【発明の詳細な説明】
【技術分野】
【０００１】
本発明は、線材を格子状に接続して構成した矩形状のネットが、物品収納棚の外面部に沿って複数並べる状態で、物品収納棚に取り付けられた収納棚の保護装置及び収納棚の保護装置の取り付け方法に関する。
【背景技術】
【０００２】
かかる収納棚の保護装置は、線材を格子状に接続して構成した矩形状のネットが、物品収納棚の外面部に沿って複数並べる状態で、物品収納棚に取り付けられることにより、例えば、物品収納棚に収納した物品の姿勢が崩れたときに、物品が物品収納棚の外側に落下することを防止したり、人が物品収納棚の外側から入り込むことを防止する等、安全性の向上を図ることができるようにしたものである。
【０００３】
かかる収納棚の保護装置において、従来では、物品収納棚の外面部に沿って並べられる複数枚の矩形状のネットが、各別の単体として構成されていた。そして、複数枚の矩形状のネットを、物品収納棚の外面部に沿って複数並べる状態で取り付けるには、一つの矩形状のネットを取り付け予定箇所に位置決めして取り付け、その先に取り付けた矩形状のネットに隣接して取り付ける矩形状のネットを、先に取り付けた矩形状のネットに対して適正となる位置に位置調整しながら取り付ける等、隣接して位置させる矩形状のネット同士の位置調整を行いながら取り付けるようにしていた（例えば、特許文献１参照。）。
ちなみに、特許文献１においては、隣接する一対の矩形状のネットにおける隣接する端部の線材が入り込む凹部を備えた連結金具を、Ｕ字状のボルトを貫通させる状態で予め物品収納棚側に取り付け、隣接する一対の矩形状のネットの端部の線材を連結金具の凹部に入り込ませた状態で、Ｕ字状のボルトに挿通される押さえピースをＵ字状のボルトに螺合するナットにて凹部の内方側に締め付けることにより、一対の矩形状のネットの端部の線材を一つの押さえピースにて一挙に押さえるようにして取り付けることにより、取り付け作業の簡略化を図るようになっているが、この構成の場合にも、矩形状のネットの端部の線材を連結金具の凹部に入り込ませた状態で、それら線材を押さえピースにて押さえるように取り付けるに際して、凹部内において端部の線材を移動させながら隣接する一対の矩形状のネットの位置調整を行なうこととなる。
【０００４】
【特許文献１】特許第２５２０７２８号公報
【発明の開示】
【発明が解決しようとする課題】
【０００５】
従来の収納棚の保護装置においては、物品収納棚の外面部に沿って並べられる複数枚の矩形状のネットが、各別の単体として構成されているため、それら複数枚の矩形状のネットを物品収納棚の外面部に複数並べる状態で取り付けるには、隣接して位置させる矩形状のネット同士を適正な位置関係に位置調整を行いながら、複数枚の矩形状のネットの夫々について、物品収納棚の外面部に対する適正な取り付け位置に位置決めしながら取り付ける必要があるため、複数枚の矩形状のネットの取り付け作業が煩わしい作業となるものであった。
【０００６】
本発明は、上記実情に鑑みて為されたものであって、その目的は、複数枚の矩形状のネットを物品収納棚の外面部に複数並べる状態で取り付ける作業の容易化を図ることが可能な物品収納棚の保護装置を提供する点にある。
また、本発明の別の目的は、複数枚の矩形状のネットを物品収納棚の外面部に複数並べる状態で取り付ける作業の容易化を図ることが可能な物品収納棚の保護装置おいて、その取り付け作業の一層の容易化を図ることが可能な物品収納棚の保護装置の取り付け方法を提供する点にある。
【課題を解決するための手段】
【０００７】
本発明の収納棚の保護装置は、線材を格子状に接続して構成した矩形状のネットが、物品収納棚の外面部に沿って複数並べる状態で、物品収納棚に取り付けられたものであって、その第１特徴構成は、前記物品収納棚の外面部に沿って上下方向に並ぶ複数枚の前記矩形状のネットが、接続材によって折り畳み自在に連結されている点にある。
【０００８】
すなわち、物品収納棚の外面部に沿って複数並べる状態で取り付けられる複数枚の矩形状のネットが、接続材によって折り畳み自在に連結されて、隣接する矩形状のネット同士の相対位置が予め決められているから、複数枚の矩形状のネットを物品収納部の外面部に沿って複数並べる状態で取り付けるときに、隣接する矩形状のネット同士を適正な位置に調整することの簡略化が図れることにより、隣接して位置させる矩形状のネット同士を適正な位置関係に位置させた状態で、複数枚の矩形状のネットの夫々について、物品収納棚の外面部に対する適正な取り付け位置に位置決めすることを容易に行えるものとなって、複数枚の矩形状のネットの取り付け作業の容易化を図ることが可能となるのである。
ちなみに、複数枚の矩形状のネットは折り畳み自在であるから、設置箇所への運搬時においては折り畳んでおくことにより、運搬を良好に行える等、矩形状のネットが複数連結されているものの、その扱いに不便を生じることは無い。
したがって、矩形状のネットを物品収納棚の外面部に複数並べる状態で取り付ける作業の容易化を図ることが可能な物品収納棚の保護装置を提供するに至った。
【０００９】
本発明の第２特徴構成は、上記第１特徴構成に加えて、前記物品収納棚の外面部に沿って上下方向に並ぶ複数枚の前記矩形状のネットのうち少なくとも上端及び下端に位置する前記ネットが、前記物品収納棚に取り付けられている点を特徴とする。
【００１０】
すなわち、物品収納棚の外面部に沿って上下方向に並ぶ複数枚の矩形状のネットのうち少なくとも上端及び下端に位置する前記ネットが、物品収納棚に取り付けられているから、複数枚の矩形状のネットの上端及び下端に位置するネットが、物品収納棚に取り付けられると、複数枚の矩形状のネットが、その上下方向の幅の全てに亘って物品収納棚に取り付けられることになり、しかも、複数枚の矩形状のネットのうち上端に位置するネットと下端に位置するネットとの間に位置するネットが、物品収納棚に取り付けられていなくても、複数枚の矩形状のネットの上端及び下端に位置するネットが、物品収納棚に取り付けられていれば、複数枚の矩形状のネットがその上下方向の幅の全てに亘って物品収納棚に取り付けられることになるため、複数枚の矩形状のネットのうち上端に位置するネットと下端に位置するネットとの間に位置するネットを必ずしも物品収納棚に取り付けなくてもよいものとなり、複数枚の矩形状のネットを物品収納棚に取り付けることを容易に行なうことができるものとなる。
したがって、複数枚の矩形状のネットを物品収納棚に取り付けることを容易に行なうことのできる収納棚の保護装置を提供するに至った。
【００１１】
本発明の第３特徴構成は、上記第１又は第２特徴構成に加えて、前記物品収納棚の外面部に沿って上下方向に並ぶ複数枚の前記矩形状のネットのうち上端に位置する前記ネットの上下方向の幅が、それ以外の前記ネットの上下方向の幅よりも幅広に形成されている点を特徴とする。
【００１２】
すなわち、複数枚の矩形状のネットを物品収納棚に取り付けるにあたって、複数枚の矩形状のネットを折り畳んだ状態で、それら複数枚の矩形状のネットのうち上端に位置するネットを物品収納棚に取り付け、次に、それら複数枚の矩形状のネットを下方に垂らしたのちに、それら複数枚の矩形状のネットのうち下端に位置するネットを物品収納棚に取り付ける場合が考えられるが、そのような場合において、物品収納棚の外面部に沿って上下方向に並ぶ複数枚の矩形状のネットのうち上端に位置するネットの上下方向の幅が、それ以外のネットの上下方向の幅よりも幅広に形成されているから、複数枚の矩形状のネットを折り畳んだときに、複数枚の矩形状のネットのうち上端に位置するネットが突出することになり、そのように突出した部分を物品収納棚に取り付けるだけで、複数枚の矩形状のネットのうち上端に位置するネットを物品収納棚に取り付けることができるので、複数枚の矩形状のネットを折り畳んだ状態で、それら複数枚の矩形状のネットのうち上端に位置するネットを物品収納棚に取り付けることを容易に行なうことができるものとなる。
したがって、複数枚の矩形状のネットを物品収納棚に取り付けることを容易に行なうことのできる収納棚の保護装置を提供するに至った。
【００１３】
本発明の収納棚の保護装置の取り付け方法は、上記第１〜第３特徴構成のいずれかに記載の収納棚の保護装置の取り付け方法であって、前記物品収納棚の外面部に沿って上下方向に並べる複数枚の前記矩形状のネットを折り畳んだ状態で、それら複数枚の前記矩形状のネットのうち上端に位置する前記ネットを前記物品収納棚に取り付け、次に、それら複数枚の前記矩形状のネットを下方に垂らしたのちに、それら複数枚の前記矩形状のネットのうち下端に位置する前記ネットを前記物品収納棚に取り付ける点を特徴とする。
【００１４】
すなわち、複数枚の矩形状のネットを折り畳んだ状態で、それら複数枚の矩形状のネットのうちの上端に位置するネットを物品収納棚に取り付け、次に、それら複数枚の矩形状のネットを下方に垂らすようにすると、上端の矩形状のネットを基準にして、その下方に位置する矩形状のネットが適正な取り付け位置に位置するものとなるから、複数枚の矩形状のネットを適正な取り付け位置に位置させることを行い易いものとなる。
しかも、複数枚の矩形状のネットのうちの上端のネットを物品収納棚に取り付けるにあたり、例えば作業者によって、複数枚の矩形状のネットを上端のネットに対する適正な取り付け位置に保持するにしても、複数の矩形状のネットが折り畳んだ状態であるから、その保持を良好に行えるものとなるのである。
さらに、物品収納棚に取り付けられた上端のネットから、その下方に垂れるように位置する下方側の矩形状のネットは、その自重によりその状態を維持するものであるから、その下端に位置する矩形状のネットを物品収納棚に取り付ける際には、矩形状ネットを特別に保持することなく行えるものとなる。
従って、複数枚の矩形状のネットを物品収納棚の外面部に複数並べる状態で取り付ける作業の容易化を図ることが可能な物品収納棚の保護装置おいて、その取り付け作業の一層の容易化を図ることが可能な物品収納棚の保護装置の取り付け方法を提供するに至った。
【発明を実施するための最良の形態】
【００１５】
以下、本発明に係る収納棚の保護装置について説明する。
図１に示すように、棚横幅方向および上下方向夫々に沿って複数の収納部１ａが設けられた物品収納棚１の一対が、この物品収納棚１の棚前面側同士が所定間隔を隔てて向かい合うように床面上に設置されている。前記物品収納棚１の一方の横側には、物品搬出入部２が設けられている。前記物品収納棚１の間に形成された走行用通路Ｔを移動走行自在で、かつ、収納部１ａと物品搬出入部２に対して物品の出し入れ自在なスタッカークレーン３が設けられている。
【００１６】
前記物品収納棚１について説明すると、図２〜図４に示すように、棚前後幅方向に立設される一対の支柱４が、棚横幅方向に複数並べられている。各一対の支柱４が、上下方向に間隔を隔てた状態で並びかつ棚前後幅方向に沿う複数の梁部材６（本実施形態では３本）にて連結固定され、各一対の支柱４のうち棚前面側に位置する複数の支柱４及び棚背面側に位置する複数の支柱４の夫々が、上下方向に間隔を隔てた状態で並びかつ棚横幅方向に沿う複数の梁部材６にて連結固定されている。扁平状の棚板１６が、複数の支柱に支持される状態で上下２段設けられている。そして、各一対の支柱４、複数の梁部材６、及び、棚板１６の間に、収納部１ａが形成されている。収納部１には、その内部に物品を収納するように、一対の物品載置部７が設けられている。一対の物品載置部７は、棚板１６に取り付けて構成されており、一対の物品載置部７の間で物品を載置できるようになっている。
【００１７】
線材を格子状に接続して構成した矩形状のネット８が、各一対の支柱４のうち棚横幅方向の両端に位置する一対の支柱４と棚前後幅方向に沿う複数の梁部材６によって形成される物品収納棚１の外面部に沿って上下方向に複数並べられ、それらネット８が、端部８ａ同士を連結させた状態で、物品収納棚１に取り付けられている。
又、線材を格子状に接続して構成した矩形状のネット８が、各一対の支柱４のうち棚背面側に位置する複数の支柱４と棚横幅方向に沿う複数の梁部材６によって形成される物品収納棚１の外面部に沿って上下方向および棚横幅方向に複数並べる状態で、物品収納棚１に取り付けられ、物品収納棚１の外面部に沿って上下方向に並ぶ複数枚の矩形状のネット８が、リング９（接続材の一例）によって折り畳み自在に連結されている。又、それら複数枚の矩形状のネット８のうち上端及び下端に位置するネット８が、物品収納棚１に取り付けられている。又、それら複数枚の矩形状のネット８のうち上端に位置するネット８の上下方向の幅が、それ以外の前記ネット８の上下方向の幅よりも幅広に形成されている。
【００１８】
説明を加えると、梁部材６の端部に設けられた取り付け用プレート１０を、ビス１１にて支柱４の側面に固定することにより、梁部材６が、支柱４に取り付けられている。ネット８及び梁部材６に対してＵ形ボルト１２を内面側から外嵌し、Ｕ形ボルト１２を押さえ用プレート１３に設けられた孔に挿通し、ナット１５をＵ形ボルト１２の先端部に締結することにより、ネット８が、梁部材６に取り付けられている。物品収納棚１の外面部に沿って上下方向に並ぶ複数枚（本実施形態では３枚）の矩形状のネット８のうち隣り合うネット８の端部８ａ同士が、それら端部８ａに沿って複数設けられたリング９にて接続されている。これにより、それら複数枚の矩形状のネット８が、リング９によって折り畳み自在に連結されている。Ｕ形ボルト１２及びナット１５の締結により、それら複数枚の矩形状のネット８のうち上端に位置するネット８が、そのネット８の中央部よりも上側寄りに左右方向に間隔を隔てて設けられた連結箇所を、複数の梁部材６のうち上側に位置する梁部材６に支持され、それら複数枚の矩形状のネット８のうち下端に位置するネット８が、そのネット８の中央部よりも下側寄りに左右方向に間隔を隔てて設けられた連結箇所を、複数の梁部材６のうち下側に位置する梁部材６に支持されている。これにより、それら複数枚の矩形状のネット８のうち上端及び下端に位置するネット８が、物品収納棚１に取り付けられている。そして、断面形状がＬ字状の長尺状の金具１４が、その一面の端部が物品収納棚１側に向かうように、それら複数枚の矩形状のネット８の端部８ａに取り付けられている。
【００１９】
次に、ネット８を物品収納棚１に取り付ける作業について説明する。
図５に示すように、物品収納棚１の外面部に沿って上下方向に並ぶ複数枚の矩形状のネット８のうち上端に位置するネット８を折り畳んだ状態で、複数枚の矩形状の矩形状のネット８のうち上端に位置するネット８を物品収納棚に取り付ける（図５（イ）参照）。次に、複数枚の矩形状のネット８を下方に垂らすことにより、折り畳んだ状態の複数枚の矩形状のネット８を広げた状態にする（図５（ロ）参照）。その後、複数枚の矩形状のネット８を広げた状態で、複数枚の矩形状のネット８のうち下端に位置するネット８を物品収納棚１に取り付ける（図５（ハ）参照）。これにより、上端の矩形状のネットが適正な取り付け位置に位置すると、その下方に位置する矩形状のネットも適正位置に位置するものとなり、複数枚の矩形状のネットを適正な取り付け位置に位置させることを行いやすいものとなる。
【００２０】
〔別実施の形態〕
（１）上記実施の形態では、接続材が、ネット８の端部８ａに沿って複数設けられたリング９である構成を例示したが、このような構成に代えて、接続材が、ネット８の端部８ａに沿って設けられたコイルであってもよい。
【００２１】
（２）上記実施の形態では、線材を格子状に接続して構成した矩形状のネット８が、各一対の支柱４のうち棚横幅方向の両端に位置する一対の支柱４と棚前後幅方向に沿う複数の梁部材６によって形成される物品収納棚１の外面部に沿って上下方向に複数並べられ、それらネット８が、ネット端部８ａ同士を連結させた状態で、物品収納棚１に取り付けられている構成を例示したが、このような構成に代えて、線材を格子状に接続して構成した矩形状のネット８が、各一対の支柱４のうち棚横幅方向の両端に位置する一対の支柱４と棚前後幅方向に沿う複数の梁部材６によって形成される物品収納棚１の外面部に沿って上下方向に複数並べる状態で、物品収納棚１に取り付けられ、物品収納棚１の外面部に沿って上下方向に並ぶ複数枚の矩形状のネット８が、リング９によって折り畳み自在に連結されている構成としてもよい。
【００２２】
（３）上記実施の形態では、３枚の矩形状のネット８が、物品収納棚１の外面部に沿って上下方向に並ぶ構成を例示したが、２枚あるいは３枚以上のネット８が、物品収納棚１の外面部に沿って上下方向に並ぶ構成としてもよい。
【００２３】
（４）上記実施の形態では、接続材９によって折り畳み自在に連結された複数枚の矩形状のネット８が、物品収納棚１に取り付けられている構成を例示したが、接続材９によって折り畳み自在に連結された複数枚の矩形状のネット８が、上下方向に複数組並べる状態で、物品収納棚１に取り付けられている構成としてもよい。
【００２４】
（５）上記実施の形態では、複数枚の矩形状のネット８が、物品収納棚１に取り付けられている構成を例示したが、このような構成に加えて、複数枚の矩形状のネット８の左右端部８ａ同士を連結させてもよい。
【図面の簡単な説明】
【００２５】
【図１】物品収納棚の全体斜視図
【図２】物品収納棚の全体側面図
【図３】梁部材にネットを取り付ける構成の斜視図
【図４】梁部材にネットを取り付ける構成の断面図
【図５】複数枚のネットを物品収納棚に取り付ける状態を示す図
【符号の説明】
【００２６】
１          物品収納棚
８          ネット
８ａ        端部
９          接続材
【図１】
2007145581.tif 000003
【図２】
2007145581.tif 000004
【図３】
2007145581.tif 000005
【図４】
2007145581.tif 000006
【図５】
2007145581.tif 000007